(57)【要約】【課題】持ち運びが便利であるとともに着座する際に痔疾患用と悟られずに好適に使用することができるクッションを提供すること。【解決手段】左右に並べて配置されることにより着座面を形成し、且つ、折り畳み自在の一対の左右面状着座部材４０Ａ、４０Ｂを備える。これら左右面状着座部材４０Ａ、４０Ｂは、着座面の中央部にそれぞれ配置され、互いに対向し、且つ前後方向に延在する緩衝層２０１、２０２と、緩衝層２０１、２０２のそれぞれに隣接して設けられ、着座面の左右両側に配置される左右の臀部受け部３１、３２とを有する。左右の臀部受け部３１、３２はそれぞれ、緩衝層２０１、２０２より比重が大きい支持コア層３０１、３０２と、緩衝層２０１、２０２と面一に配置されるとともに、緩衝層２０１、２０２よりも比重が大きく、且つ、支持コア層３０１、３０２よりも比重が小さい表面層３０３、３０４とを備える。【選択図】図４
2013111369.tif 000002
【特許請求の範囲】
【請求項１】
左右に並べて配置されることにより着座面を形成する一対の面状着座部材を備え、
前記一対の面状着座部材は、前記着座面の中央部にそれぞれ配置され、互いに対向し、且つ前後方向に延在する緩衝層と、
前記緩衝層のそれぞれに隣接して設けられ、前記着座面の左右両側に配置される左右の臀部受け部と、
を有し、
前記左右の臀部受け部はそれぞれ、前記緩衝層より比重が大きい支持コア層と、
前記緩衝層と面一に配置されるとともに、前記緩衝層よりも比重が大きく、且つ、前記支持コア層よりも比重が小さい表面層と、
を備え、
前記一対の面状着座部材は、対向する前記緩衝層の間を中心に重ね合う状態に折り畳み自在である、
痔疾患用クッション。
【請求項２】
前記一対の面状着座部材を被覆するカバー部材を備え、
前記カバー部材は、前記一対の面状着座部材において互いに対向する前記緩衝層の表面側で、前記一対の面状着座部材を重ね合う状態に折り畳み自在に連結する、
請求項１記載の痔疾患用クッション。
【請求項３】
前記一対の面状着座部材は、それぞれ、上面に前記緩衝層及び前記臀部受け部が配設されるベース層を備え、
前記臀部受け部は、前記支持コア層と前記表面層との間に、前記ベース層と同じ材料の層であって、前記支持コア層の比重よりも小さく且つ前記表面層の比重より大きい比重の中間層を備える、
請求項１または２記載の痔疾患用クッション。
【発明の詳細な説明】
【技術分野】
【０００１】
本発明は、痔疾患を持つ使用者が着座する際に、臀部への刺激を緩和する痔疾患用のクッションに関する。
【背景技術】
【０００２】
一般に、痔疾患を持つ使用者が着座する際に、肛門及び肛門付近の患部への刺激を緩和させるために、中央に円形の開口部を設けた開口部付きクッションが知られている（例えば、特許文献１及び特許文献２参照）。このような開口部付きクッションは、中央に形成された開口部に患部を位置させて使用者が椅子或いは床等に着座することにより、使用者の着座中における肛門や肛門付近の血液循環の悪化を防止している。
【先行技術文献】
【特許文献】
【０００３】
【特許文献１】特開２００２−３３６０９３号公報
【特許文献２】特開平７−２２２６５３号公報
【発明の概要】
【発明が解決しようとする課題】
【０００４】
ところで、痔は、男女を問わず日本人の３人に１人が持つ疾患であるとされているが、多くの人が痔疾患に羞恥心を感じる。このため、着座の際に患部に負担の少ないクッションを、周囲に極力知られずに使用したいという要望がある。
【０００５】
しかしながら、中央に円形の開口部が形成されたクッションを使用する場合、その独特な形状のため、使用者が痔疾患を持っていることを周囲の人に知られてしまう。また、開口部付きクッションを痔疾患の予防のために使用したくても、痔疾患があると誤解される虞がある。
【０００６】
また、この開口部付きクッションでは、着座中に姿勢を前後方向に変更すると、臀部も前後に移動して患部の位置が中央の開口部からずれることになり、これにより、患部に刺激を与えてしまうという問題がある。
【０００７】
また、このようなクッションは、着座する臀部の形状に対応して座面を大きく形成する必要があり、移動先で用いる場合に持ち運びづらいという問題がある。
【０００８】
本発明はかかる点に鑑みてなされたものであり、持ち運びが便利であるとともに着座する際に痔疾患用と悟られずに好適に使用することができるクッションを提供することを目的とする。
【課題を解決するための手段】
【０００９】
本発明の痔疾患用クッションの一つの態様は、左右に並べて配置されることにより着座面を形成する一対の面状着座部材を備え、前記一対の面状着座部材は、前記着座面の中央部にそれぞれ配置され、互いに対向し、且つ前後方向に延在する緩衝層と、前記緩衝層のそれぞれに隣接して設けられ、前記着座面の左右両側に配置される左右の臀部受け部と、を有し、前記左右の臀部受け部はそれぞれ、前記緩衝層より比重が大きい支持コア層と、前記緩衝層と面一に配置されるとともに、前記緩衝層よりも比重が大きく、且つ、前記支持コア層よりも比重が小さい表面層と、を備え、前記一対の面状着座部材は、対向する前記緩衝層の間を中心に重ね合う状態に折り畳み自在である構成を採る。
【発明の効果】
【００１０】
本発明によれば、持ち運びが便利であるとともに着座の際に痔疾患用と悟られずに好適に使用することができる。
【図面の簡単な説明】
【００１１】
【図１】本発明の一実施の形態に係る痔疾患用クッションの概要を示す斜視図
【図２】同痔疾患用クッションの折り畳み状態を示す図
【図３】同痔疾患用クッションの要部構成を示す平面図
【図４】同痔疾患用クッションの要部構成を示す図１のＡ−Ａ線矢視断面図
【図５】同痔疾患用クッションの面状着座部材を示す斜視図
【図６】同痔疾患用クッションをケースに収容した状態を示す図
【図７】同痔疾患用クッションを持ち運ぶ状態を示す図
【図８】同痔疾患用クッションを折り畳んだ状態の面状着座部材を示す図
【発明を実施するための形態】
【００１２】
以下、本発明の実施の形態について、図面を参照して詳細に説明する。
【００１３】
図１は、本発明の一実施の形態に係る痔疾患用クッションの概要を示す斜視図であり、痔疾患用クッションの使用状態を示す図である。
【００１４】
図１に示す本実施の形態に係る痔疾患用クッション１０は、使用者が着座する着座部１２の中央で前後に延在する折り畳み部１４を中心に矢印方向に折り畳むことによって、折り畳み自在に形成されている。同痔疾患用クッションの折り畳み状態を図２に示す。
【００１５】
図３は、同痔疾患用クッションの要部構成を示す平面図であり、図４は、同痔疾患用クッションの要部構成を示す図１のＡ−Ａ線矢視断面図である。なお、図３では、カバー部材５０を便宜上破線で示している。
【００１６】
図３及び図４に示す痔疾患用クッション１０では、上面が着座面である着座部１２の中央部に前後方向に亘って、使用者の肛門及び肛門周辺部（痔疾患部）を受ける疾患受け部２０が設けられている。着座部１２では、疾患受け部２０の左側に、使用者の左の臀部を受ける臀部受け部３１と、疾患受け部２０の右側に、使用者の右の臀部を受ける臀部受け部３２とが配置されている。
【００１７】
疾患受け部２０は、左右に並べて互いに対向して配置された緩衝層２０１、２０２により形成される。
【００１８】
これら緩衝層２０１、２０２は、それぞれ着座部１２を形成する一対の面状着座部材４０Ａ、４０Ｂに設けられている。
【００１９】
面状着座部材４０Ａ、４０Ｂは、左右に並べて配置されて、着座部１２を構成するものであり、これら一対の面状着座部材４０Ａ、４０Ｂは、布カバー（カバー部材）５０によって重ね合う状態に折り折り畳み自在に被覆されている。
【００２０】
詳細には、一対の面状着座部材４０Ａ、４０Ｂは、布カバー５０の袋部５１Ａ、５１Ｂにそれぞれ被覆されるとともに、袋部５１Ａ、５１Ｂを連結する折り畳み部１４を介して折り畳んで重ね合わせ自在となっている。
【００２１】
面状着座部材４０Ａ、４０Ｂ（以下、「左面状着座部材４０Ａ」、「右面状着座部材４０Ｂ」という）は、それぞれ正面視して左右対称に形成された板状をなしている。
【００２２】
左面状着座部材４０Ａは、ベース層４１の上面に配設された臀部受け部３１と緩衝層２０１とを有し、右面状着座部材４０Ｂは、ベース層４２の上面に配設された臀部受け部３２と緩衝層２０２とを有する。
【００２３】
図５は、同痔疾患用クッションの面状着座部材である右面状着座部材４０Ｂを示す斜視図である。
【００２４】
右面状着座部材４０Ｂでは、ベース層４２上に、緩衝層２０２が、隣り合う面状着座部材（左面状着座部材）４０Ａ（図３及び図４参照）の側壁面に対向して、前後方向で延在して設けられている。
【００２５】
この緩衝層２０２に隣接して臀部受け部３２が配設されている。
【００２６】
臀部受け部３２は、ベース層４２上に配置される支持コア層３０２と、緩衝層２０２と面一に配置されるとともに、支持コア層３０２よりも比重が小さい表面層３０４と、支持コア層３０２と表面層３０４との間に配設された中間層３０６と、を備える。
【００２７】
支持コア層３０２は、痔疾患用クッションの着座部１２を構成する各層の中で最も比重が大きい。表面層３０４は、支持コア層３０２の比重よりも小さい比重であり、且つ、ベース層４２の比重よりも大きい比重である。ベース層４２は、支持コア層３０２、緩衝層２０２、表面層３０４、中間層３０６（つまり着座部１２を構成する各層）の中で、最も小さい比重の層である。
【００２８】
中間層３０６は、ここでは、ベース層４２と同じ材料で形成されており、ベース層４２と同じ比重である。中間層３０６は、支持コア層３０２の比重よりも小さく且つ表面層３０４の比重より大きい比重である。
【００２９】
ここで、緩衝層２０２は、着座部１２を構成する各層の中でもっとも比重が小さく、隣り合う面状着座部材（左面状着座部材４０Ａ）の緩衝層２０１とともに疾患受け部２０を構成する。
【００３０】
なお、緩衝層２０２、２０１により形成される疾患受け部２０の横幅は、７０ｃｍ〜８０ｃｍであることが好ましい。疾患受け部２０の横幅が６０ｃｍ以下であれば、使用者が着座した際に、痔疾患部を受けることができず、９０ｃｍ以上で有れば、疾患受け部２０自体で、臀部も受けることになる。
【００３１】
臀部受け部３２を構成するベース層４２、支持コア層３０２、表面層３０４、中間層３０６の各層と、緩衝層２０２とは、それぞれウレタンフォームにより形成されており、これら各層は、中カバー４９により破損しないように被覆されている。
【００３２】
なお、左面状着座部材４０Ａは、着座部１２の鉛直中心面を中心に、右面状着座部材４０Ｂに対して左右対称に構成されるため、右面状着座部材４０Ｂと同様の構成であり、同名称を付して詳細な説明は省略する。
【００３３】
すなわち、左面状着座部材４０Ａでは、図４に示すように、ベース層４１上に、臀部受け部３１、緩衝層２０１が隣接して設けられている。そして、臀部受け部３１は、ベース層４１上の支持コア層３０１と、支持コア層３０１上の中間層３０５と、中間層３０５上の表面層３０３とから構成されている。これらベース層４１、臀部受け部３１（支持コア層３０１、中間層３０５、表面層３０３の各層）は、ベース層４２、臀部受け部３２（支持コア層３０２、中間層３０６、表面層３０４の各層）と形状のみ異なるものである。つまり、左面状着座部材４０Ａは、ここでは、右面状着座部材４０Ｂにおけるベース層４２、臀部受け部３２、支持コア層３０２、中間層３０６、表面層３０４と同様の部材を、これら部材の表裏面を逆にして用いることで構成されている。
【００３４】
このように、中カバー４９（図４参照）によりそれぞれ被覆された一対の面状着座部材４０Ａ、４０Ｂは、布カバー（カバー部材）５０の袋部５１Ａ、５１Ｂによってそれぞれ被覆されるとともに、互いに対向する緩衝層２０１、２０２の上面間で、袋部５１Ａ、５１Ｂとを連結する折り畳み部１４で、折り畳み自在に連結されている。
【００３５】
この布カバー（カバー部材）５０によって、痔疾患用クッション１０は外観上、疾患受け部２０を臀部受け部３１、３２と区別して視認されることがない。これにより、痔疾患持ちの使用者に、羞恥心を喚起させることなく、使用させることができる。
【００３６】
このように、痔疾患用クッション１０は、左右に並べて配置されることにより着座面を形成し、且つ、折り畳み自在の一対の左右面状着座部材４０Ａ、４０Ｂを備える。これら左右面状着座部材４０Ａ、４０Ｂは、着座面の中央部にそれぞれ配置され、互いに対向し、且つ前後方向に延在する緩衝層２０１、２０２と、緩衝層２０１、２０２のそれぞれに隣接して設けられ、着座面の左右両側に配置される左右の臀部受け部３１、３２とを有する。臀部受け部３１、３２及び緩衝層２０１、２０２は、それぞれ左右のベース層４１，４２上に配設されている。左右の臀部受け部３１、３２はそれぞれ、緩衝層２０１、２０２より比重が大きい支持コア層３０１、３０２と、緩衝層２０１、２０２と面一に配置されるとともに、緩衝層２０１、２０２よりも比重が大きく、且つ、支持コア層３０１、３０２よりも比重が小さい表面層３０３、３０４とを備える。臀部受け部３１、３２は、支持コア層３０１、３０２と表面層３０３、３０４との間に、ベース層４１、４２と同じ材料の層であって、支持コア層の比重よりも小さく且つ表面層の比重より大きい比重の中間層３０５、３０６を備える。これら一対の左右面状着座部材４０Ａ、４０Ｂは、対向する緩衝層２０１、２０２の間（折り畳み部１４）を中心に重ね合う状態に折り畳み自在である。また、一対の左右面状着座部材４０Ａ、４０Ｂを被覆する布カバー５０は、一対の左右面状着座部材４０Ａ、４０Ｂにおいて、互いに対向する緩衝層２０１、２０２の表面側で、一対の左右面状着座部材４０Ａ、４０Ｂを重ね合う状態に折り畳み自在に連結している。
【００３７】
また、この痔疾患用クッション１０は、折り畳み自在であるため、不使用時にはコンパクト化をはかることができる。
【００３８】
つまり、痔疾患用クッション１０の面状着座部材を重ねるように折り畳む（図２参照）ことができ、図６に示す鞄８０に収容できる。鞄８０は、折り畳まれる痔疾患用クッション１０の形状に対応した半円状の主要部８２と、手提げ部８４とを有する。
【００３９】
これにより、図７に示すように、鞄８０内に折り畳まれた痔疾患用クッション１０に収容することによって、この鞄８０を用いて、使用者に、羞恥心を喚起させることなく痔疾患用クッション１０を容易に持ち運ばせて使用させることができる。
【００４０】
また、図８に示すように、折り畳まれた一対の面状着座部材４０Ａ、４０Ｂでは、最も比重の小さい緩衝層２０１、２０２は、側方に位置する臀部受け部３１、３２とともに、ベース層４２、４１によって上下で挟まれた状態となる。すなわち、緩衝層２０１、２０２は、緩衝層２０１、２０２よりも比重の大きい臀部受け部３１、３２とベース層４１、４２とによって三方を囲まれた状態となる。よって、折り畳み時において、ベース層４１、４２側、つまり、左右側面状着座部材４０Ａ、４０Ｂにおいて外側に位置する面側から荷重が掛かる場合、その荷重をベース層４１、４２及び臀部受け部３１、３２が受ける。これにより、折り畳み時において、ベース層４１、４２側から掛かる荷重は、緩衝層２０１、２０２自体には掛かることがない。よって、緩衝層２０１、２０２は、不要な荷重により摩耗することが無い。
【００４１】
なお、本実施の形態では、面状着座部材（左右側面状着座部材４０Ａ、４０Ｂ）では、ベース層４１（４２）上に配設された臀部受け部３１（３２）を、３層により形成したが、支持コア層３０１（３０２）及び表面層３０３（３０４）の２層によって形成したり、また、４層以上で形成したりしても良い。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４３】
本発明に係る痔疾患用クッションは、持ち運びが便利であるとともに着座の際に痔疾患用と悟られずに好適に使用できる効果を有し、特に、痔疾患持ちの患者、痔疾患予防の使用者、更には、出産後の婦人などに用いられるクッションとして有用である。
【符号の説明】
【００４４】
１２  着座部
１４  折り畳み部
２０  疾患受け部
３１、３２  臀部受け部
４１、４２  ベース層
５０  布カバー（カバー部材）
５１Ａ、５１Ｂ  袋部
２０１、２０２  緩衝層
３０１、３０２  支持コア層
３０３、３０４  表面層
３０５、３０６  中間層
４０Ａ  左面状着座部材（面状着座部材）
４０Ｂ  右面状着座部材（面状着座部材）
【図１】
2013111369.tif 000003
【図２】
2013111369.tif 000004
【図３】
2013111369.tif 000005
【図４】
2013111369.tif 000006
【図５】
2013111369.tif 000007
【図６】
2013111369.tif 000008
【図７】
2013111369.tif 000009
【図８】
2013111369.tif 000010